(57)【要約】【課題】ある時間内に複数回に分けて使用すべき錠剤を予め錠剤取出し口の近傍に仮置きしておき、既に使用した錠剤の数及びこれから使用すべき錠剤の数を視覚的に容易に認識し得る錠剤容器を提供する。【解決手段】口頸部５を有する容器体２と、上記口頸部５に嵌合させたキャップ本体１２の頂壁部１６に錠剤取出し口３６を開口し、かつこのキャップ本体１２に対して上記頂壁部１６の上面への着脱可能な蓋体５０を設けたキャップ部材１０と、を具備し、上記頂壁部１６の上面の一部には、開蓋状態で外部からの視認可能な錠剤仮置き凹部４２を形成しており、この錠剤仮置き凹部４２は、上記錠剤取出し口３６から離して形成されている。【選択図】図１
2015143106.tif 000002
【特許請求の範囲】
【請求項１】
口頸部(５)を有する容器体(２)と、
上記口頸部(５)に嵌合させたキャップ本体(１２)の頂壁部(１６)に錠剤取出し口(３６)を開口し、かつこのキャップ本体(１２)に対して上記頂壁部(１６)の上面への着脱可能な蓋体(５０)を設けたキャップ部材(１０)と、を具備し、
上記頂壁部(１６)の上面の一部には、開蓋状態で外部からの視認可能な錠剤仮置き凹部(４２)を形成しており、
この錠剤仮置き凹部(４２)は、上記錠剤取出し口(３６)から離して形成されていることを特徴とする、錠剤容器。
【請求項２】
上記錠剤仮置き凹部(４２)は、少なくとも長手方向の巾(ｄ１)に比べて深さが小さく、底面が平坦な浅広凹部として形成されていることを特徴とする、請求項１記載の錠剤容器。
【請求項３】
上記キャップ本体(１２)の頂壁部(１６)の外周部上面に周設した本体側シール条（２８）と蓋体(５０)の天板部(５２)の各外周部下面に周設した蓋体側シール条（５６）とが閉蓋状態で相互に気密に当接するように設け、本体側シール条（２８）内方の頂壁部分に上記錠剤取出し口(３６)及び錠剤仮置き凹部(４２)を形成したことを特徴とする、請求項１又は請求項２記載の錠剤容器。
【請求項４】
上記頂壁部(１６)の上面の適所に対して、閉塞板部(３８)の基部(３８ａ)を少なくとも当該閉塞板部(３８)の起伏可能にヒンジ連結し、かつ倒伏状態で閉塞板部(３８)の先部(３８ｂ)側が錠剤取出し口(３６)の全部又は過半部を閉塞することが可能に形成したことを特徴とする、請求項１から請求項３のいずれかに記載の錠剤容器。
【請求項５】
上記頂壁部(１６)の一部に、相互に区画された複数の錠剤仮置き凹部(４２)を連続して並設したことを特徴とする、請求項１から請求項４の何れかに記載の錠剤容器。
【請求項６】
上記複数の錠剤仮置き凹部(４２)は、頂壁部(１６)から立設した平行な垂直壁部(４４)で区画された溝形状であり、その溝の両端部(Ｅ１、Ｅ２)のうちの少なくとも一方を開放端部としたことを特徴とする、請求項５記載の錠剤容器。
【発明の詳細な説明】
【技術分野】
【０００１】
本発明は、錠剤容器、特に口部付近に錠剤仮置き凹部を設けた錠剤容器に関する。
【背景技術】
【０００２】
口部付近に錠剤を置く場所を設けたタイプの錠剤容器として、容器体の口頸部の外面に嵌合した周壁の上端から内向きフランジを突出するとともに、内向きフランジの内縁から上方から見てＣ字形の計量皿を延設したキャップ本体と、このキャップ本体に対してヒンジ連結した主蓋体と、キャップ本体に枢着され、口頸部の上面のうち内向きフランジ及び計量皿で覆われる箇所以外の部分である錠剤取出し口を開閉可能に塞ぐ補助蓋体とを、具備するものが知られている（特許文献１）。主蓋体の裏面からは押下げ板が垂下されており、主蓋体を閉じると押下げ板が補助蓋体を押し下げ、主蓋体の閉蓋状態で錠剤容器を反転させると、容器体内の錠剤が錠剤取出し口を経て主蓋体内に入り、再び錠剤容器を正立状態にすると、主蓋体内に入った錠剤が、計量皿に載る所定個数を除いて容器体へ戻される。
【先行技術文献】
【特許文献】
【０００３】
【特許文献１】特開平１１−１９３０５１
【発明の概要】
【発明が解決しようとする課題】
【０００４】
近年、薬品の如き錠剤に関して使用量を簡単に判るようにしたいという要望がある。薬品を毎日数度に分けて所定個数の錠剤を服用する場合、日常の多忙さや加齢によるもの忘れにより錠剤を飲み忘れたり、逆に過剰に飲み過ぎる可能性がある。例えば介助者が予め一日に服用すべき個数の錠剤を錠剤仮置き凹部の上に出しておき、これを本人が飲むようにする、飲んだ個数が後で視覚的に判るようにする、という用い方ができれば便利である。
【０００５】
特許文献１の容器は、錠剤を計量するためのものであり、計量皿に載った錠剤を複数回に分けて飲むという発想はない。仮に計量皿に載った錠剤の一部を服用し、残りの錠剤を計量皿に残したままで主蓋体を閉じれば、計量皿上の錠剤が錠剤取出し口を経て容器体へ転落してしまう可能性があり、その後に服用すべき錠剤の数が判らなくなってしまう。
【０００６】
本発明の目的は、ある時間内に複数回に分けて使用すべき錠剤を予め錠剤取出し口の近傍に仮置きしておき、既に使用した錠剤の数及びこれから使用すべき錠剤の数を視覚的に容易に認識し得る錠剤容器を提供することである。
【課題を解決するための手段】
【０００７】
第１の手段は、口頸部５を有する容器体２と、
上記口頸部５に嵌合させたキャップ本体１２の頂壁部１６に錠剤取出し口３６を開口し、かつこのキャップ本体１２に対して上記頂壁部１６の上面への着脱可能な蓋体５０を設けたキャップ部材１０と、を具備し、
上記頂壁部１６の上面の一部には、開蓋状態で外部からの視認可能な錠剤仮置き凹部４２を形成しており、
この錠剤仮置き凹部４２は、上記錠剤取出し口３６から離して形成されている。
【０００８】
本手段では、図１及び図３に示すように、キャップ本体１２の頂壁部１６の一部に、開
蓋状態で外部からの視認可能な錠剤仮置き凹部４２を形成することを提案する。この錠剤仮置き凹部４２内に所定の時間（例えば一日）に使用すべき個数の錠剤を予め置いておき、逐次使用することで、残りの錠剤の個数を視覚化し、以て既に使用した錠剤の個数を簡単に認知できるようにする。上記錠剤仮置き凹部４２は、錠剤取出し口３６から離して設け、錠剤仮置き凹部４２に仮置きした錠剤が不意に錠剤取出し口３６を経て容器体２内へ転落しにくいようにしている。
【０００９】
本明細書において、「錠剤仮置き凹部」とは、頂壁部の一部を周囲に比べて凹ませた構造の他に、頂壁部の上面の一部から一つ又は複数の垂直壁部を起立し、この垂直壁部で周囲から区画される部分を凹部とする構造とを含む。
【００１０】
第２の手段は、第１の手段を有し、かつ上記錠剤仮置き凹部４２は、少なくとも長手方向の巾ｄ１に比べて深さｈが小さく、底面が平坦な浅広凹部として形成されている。
【００１１】
本手段では、錠剤仮置き凹部４２の好適な形状を示している。すなわち図１に示す錠剤仮置き凹部４２の長手方向の巾ｄ１に比べて図２に示す錠剤仮置き凹部４２の深さｈが小であるように形成している。これにより上方から見て錠剤仮置き凹部４２内の錠剤の個数を確認し易くなる。
【００１２】
第３の手段は、第１の手段又は第２の手段を有し、かつ
上記キャップ本体１２の頂壁部１６の外周部上面に周設した本体側シール条２８と蓋体５０の天板部５２の各外周部下面に周設した蓋体側シール条５６とが閉蓋状態で相互に気密に当接するように設け、本体側シール条２８内方の頂壁部分に上記錠剤取出し口３６及び錠剤仮置き凹部４２を形成した。
【００１３】
本手段では、図２又は図４に示すように、キャップ本体１２の本体側シール条２８と蓋体５０の蓋体側シール条５６が気密に当接するように形成し、これら本体側シール条２８及び蓋体側シール条５６の内方に錠剤仮置き凹部４２に位置させ、錠剤仮置き凹部４２に置かれた錠剤Ｄが吸湿することを防止している。
【００１４】
第４の手段は、第１の手段から第３の手段のいずれかを有し、かつ上記頂壁部１６の上面の適所に対して、閉塞板部３８の基部３８ａを少なくとも当該閉塞板部３８の起伏可能にヒンジ連結し、かつ倒伏状態で閉塞板部３８の先部３８ｂ側が錠剤取出し口３６の全部又は過半部を閉塞することが可能に形成した。
【００１５】
本手段では、図２に示すように、錠剤取出し口３６を閉塞することが可能な閉塞板部３８を設けている。蓋体５０の開蓋状態で錠剤取出し口３６を閉塞板部３８で閉鎖することにより、錠剤容器を上下反転させて、錠剤取出し口３６から錠剤Ｄが転げ出ることを防止できる。閉塞板部３８は、錠剤取出し口３６から錠剤Ｄが出ることを妨げる邪魔板として機能すれば足り、必ずしも錠剤取出し口３６を完全に覆うものである必要はない。
【００１６】
第５の手段は、第１の手段から第４の手段のいずれかを有し、かつ上記頂壁部１６の一部に、相互に区画された複数の錠剤仮置き凹部４２を連続して並設した。
【００１７】
本手段では、図３に示す如く相互に区画された複数の錠剤仮置き凹部４２を連続して並設している。これにより錠剤の個数を確認することが容易になり、視認性が向上する。
【００１８】
第６の手段は、第５の手段を有し、かつ上記複数の錠剤仮置き凹部４２は、頂壁部１６から立設した平行な垂直壁部４４で区画された溝形状であり、その溝の両端部Ｅ１、Ｅ２のうちの少なくとも一方を開放端部とした。
【００１９】
本手段では、図３に示すように、複数の錠剤仮置き凹部４２を、平行な垂直壁部４４で区画された溝形状としている。溝の端部Ｅ１、Ｅ２の少なくとも一方は開放端部としている。
【発明の効果】
【００２０】
第１の手段に係る発明によれば、頂壁部１６の上面の一部に、開蓋状態で外部からの視認可能な錠剤仮置き凹部４２を形成したから、錠剤仮置き凹部４２内に置かれた錠剤の個数を簡単に認知することができる。また錠剤仮置き凹部４２は、錠剤取出し口３６から離したから、錠剤仮置き凹部４２に置かれた錠剤が錠剤取出し口３６に戻ることがなく、服用すべき錠剤の個数の管理が容易であり、錠剤の飲み忘れや過剰摂取を防止できる。
第２の手段に係る発明によれば、錠剤仮置き凹部４２を底面が平坦な浅広凹部としたから、仮置きした錠剤の個数の視認性がより向上する。
第３の手段に係る発明によれば、閉蓋状態で本体側シール条２８及び蓋体側シール条５６内に錠剤仮置き凹部４２が位置するように設けたから、錠剤仮置き凹部４２に置かれた錠剤が吸湿することを防止できる。
第４の手段に係る発明によれば、錠剤取出し口３６を閉塞可能な閉塞板部３８を設けたから、錠剤容器を傾けて錠剤仮置き凹部４２から錠剤を取り出す際に、予め錠剤取出し口３６を閉塞板部で閉塞することで、不必要に錠剤取出し口３６から錠剤が出てしまうことを防止できる。
第５の手段に係る発明によれば、相互に区画された複数の錠剤仮置き凹部４２を連続して並設したから、仮置きした錠剤の視認性がより向上する。
第６の手段に係る発明によれば、複数の錠剤仮置き凹部４２は、平行な垂直壁部４４で区画された溝状であり、その溝の両端部Ｅ１、Ｅ２のうちの少なくとも一方を開放端部としたから、錠剤仮置き凹部４２内で錠剤をスライドさせて開放端部から容易に取り出すことができる。
【図面の簡単な説明】
【００２１】
【図１】本発明の第１実施形態に係る錠剤容器の開蓋状態での平面図である。
【図２】図１の錠剤容器の縦断面図である。
【図３】本発明の第２実施形態に係る錠剤容器の開蓋状態での平面図である。
【図４】図３の錠剤容器の縦断面図である。
【発明を実施するための最良の形態】
【００２２】
図１から図２は、本発明の第１の実施形態に係る錠剤容器を示している。錠剤容器は、容器体２と、キャップ部材１０とで構成する。これらの部材は、合成樹脂材で形成することができる。本実施形態では説明の便宜上から、図１の左方を「前」と、同図の右方を「後」と、同図の下方を「左」と、同図の上方を「右」と定義する。
【００２３】
容器体２は、口頸部５を有する筒壁部４を、底壁部６の外周部に連結させてなる。図示の筒壁部４は、底壁部６の外周部から起立する主筒部４ａと、この主筒部４ａの上下方向中間部の外面から底壁部６より下方へ垂下した脚筒部４ｂとで構成している。そして脚筒部４ｂ上方の主筒部分を口頸部５としている。しかしながら、これらの構造は適宜変更することができる。
【００２４】
また図示例では、上記主筒部４ａの側部に、主筒部内面に両端部を連結した平面視コ字形の補助壁部８を形成しており、主筒部４ａの側部（図示例では後部）と補助壁部８とで囲まれる収納部Ｓに乾燥剤などを収納できるようにしている。補助壁部８の下端は底壁部６に連結している。もっとも防湿の必要がない場合、補助壁部８は省略することができる。
【００２５】
キャップ部材１０は、キャップ本体１２と、蓋体５０とで構成されている。
【００２６】
上記キャップ本体１２は、上記口頸部５に嵌合（図示例では螺合）させたキャップ周壁部１４の上端に、頂壁部１６の外縁部を連結しており、この頂壁部１６の適所に、錠剤取出し口３６と錠剤仮置き凹部４２とを形成し、かつ錠剤取出し口３６を塞ぐための閉塞板部３８を付設している。
【００２７】
図示例では、上記頂壁部１６は、図２に示す水平な中央壁部１８と外縁部２２との間に環状の隆起部２０を形成するとともに、隆起部２０に沿って凸状の本体側シール条２８を中央壁部１８の外周部１８ａ上面から短く起立している。そして本体側シール条２８の内側の中央壁部分に上記錠剤取出し口３６と錠剤仮置き凹部４２と閉塞板部３８とを設けている。外縁部２２の後部は、浅い凹没部３０に形成している。また頂壁部１６の前端部には係止凹部３２が形成されており、この係止凹部と連続して、キャップ周壁部１４の前部上端部分には指掛け用凹部３４が形成されている。上記隆起部２０は、上記口頸部５の上方に位置しており、隆起部２０と口頸部５の上端との間にパッキンＰを挟持させている。
【００２８】
上記錠剤取出し口３６は、図示例では、中央壁部１８の前部において、本体側シール条２８の内側に開口されている。
【００２９】
上記閉塞板部３８は、その基部３８ａを、肉薄ヒンジ４０を介して中央壁部１８中心付近に連結しており、前方及び後方へ倒すことができるように設ける。そして前方への倒伏状態で閉塞板部３８の先部３８ｂが錠剤取出し口３６を覆うように設ける。閉塞板部３８は錠剤取出し口３６を完全に覆うものである必要はない。閉塞板部３８は、図２に実線で示す如く、後方へ倒すときに、頂壁部１６の上に完全に倒れるのではなく、閉塞板部３８の先部３８ｂが頂壁部１６からやや浮いた状態となるように形成してもよい。
【００３０】
上記錠剤仮置き凹部４２は、頂壁部の一部を凹設してなり、周壁である垂直壁部４４の下端部から平坦な底壁部４６を連続形成してなる。錠剤仮置き凹部４２は、前後２方向へ閉塞板部３８を倒伏させても当該閉塞板部３８と重ならないように、頂壁部１６の左右両側部の少なくとも一方に設けるとよい。上記垂直壁部４４は、口頸部５の内面に沿って弯曲する第１壁部４４ａと上方から見て直線的な第２壁部４４ｂとを含む。これらの構造は適宜変更することができる。上記錠剤仮置き凹部４２は、図示例の場合、長手方向の巾ｄ１及び短手方向の巾ｄ２に比べて深さｈが小さく、底面が平坦な浅広凹部として形成されている。
【００３１】
蓋体５０は、上記キャップ本体１２の一部（図示例では後部）にヒンジ部４８を介して連結している。蓋体５０は、天板部５２の周囲に蓋周壁５４を付設してなり、天板部５２の裏面にキャップ本体１２の本体側シール条２８と係合可能な蓋体側シール条５６を形成する。図示例の蓋体側シール条５６は、内筒部５６ａと外筒部５６ｂとからなる２重筒状であり、これら両筒部で本体側シール条２８の両側を挟持するように設ける。これらの構造は適宜変更することができ、例えばキャップ本体１２の本体側シール条２８を２重筒状とし、蓋体５０の蓋体側シール条５６を単一の凸条としても構わない。上記蓋周壁５４のうちヒンジ部４８との反対側の部分は、閉蓋状態で上記係止凹部３２と係止することが可能に形成しており、かつ当該部分には指掛け部５８が付設されている。
【００３２】
上記ヒンジ部４８は、図示例では、肉薄ヒンジ部４８ａと左右一対の弾性帯板部４８ｂとで構成する従来公知の弾性反転式ヒンジ部としている。しかし帯板部を省略して肉薄ヒンジ部単独で構成してもよい。またキャップ本体１２と蓋体５０とを別体としても構わない。
【００３３】
次に本願の錠剤容器の好適な使用方法を説明する。まず一日の始めに一日分の個数の錠剤を錠剤仮置き凹部４２にセットする。この作業は、錠剤を服用する利用者本人が行ってもよく、また本人の家族などの介助者が行ってもよい。具体的には、蓋体５０を図２に想像線で示す閉蓋位置から実線で示す開蓋状態へ回動し、閉塞板部３８を実線で示す開状態のままで指によって押さえ、錠剤容器を上下反転させると、錠剤取出し口３６から錠剤Ｄを振り出すことができる。一日に服用するべき個数の錠剤Ｄを錠剤仮置き凹部４２に置いて、蓋体５０を再び閉じる。この場合において、錠剤仮置き凹部４２は錠剤取出し口３６から離れているので、一連の操作の間に錠剤仮置き凹部４２内に置いた錠剤が、錠剤取出し口３６から容器体２側に戻ることがない。また本体側シール条２８と蓋体側シール条５６とが気密に当接しているために錠剤仮置き凹部４２に置かれた錠剤が吸湿することがない。
【００３４】
次に利用者が錠剤を服用するときには、蓋体５０を開き、錠剤仮置き凹部４２内から必要数の錠剤を摘まんで取り出す。これにより、次の利点がある。
第１に、例えば朝・昼・晩と順次服用する毎に錠剤仮置き凹部４２内の錠剤の個数が減っていくので、服用した錠剤の個数を視覚的に判別できる。服用時の後に本人又は家族が錠剤数を確認して、錠剤仮置き凹部４２内に残った錠剤数が予定より多ければ錠剤の飲み忘れに直ちに気づくことができる。
第２に、一日分の錠剤を一度に錠剤取出し口３６から振り出して錠剤仮置き凹部４２に入れればよいので、各服用時毎に振り出し操作をする場合に比べて、病気や加齢により手先の器用さを欠く利用者にとって有利である。
第３に、一日分の錠剤を予め取り出して錠剤仮置き凹部４２に置くので、服用したか否かの記憶が曖昧となったときに過剰量の錠剤を服用することを回避できる。
【００３５】
なお、病気や加齢により錠剤仮置き凹部４２内から指を摘まむことが困難であるときには、図１に実線で表す閉塞板部３８の先部３８ｂに指先を掛け、閉塞板部３８を錠剤取出し口３６の上に倒して指で押さえ、このまま錠剤容器を上下反転することで、錠剤仮置き凹部４２内から錠剤Ｄを取り出すことができる。
【００３６】
以下、本発明の他の実施形態について説明する。この実施形態の説明において第１の実施形態と同一の構成に関しては解説を省略する。
【００３７】
図３及び図４は、本発明の第２の実施形態に係る錠剤容器を示している。本実施形態では、第１実施形態の中央壁部１８の構造を変形している。当該中央壁部１８は、外側から内側へ、本体側シール条２８を有する外周部１８ａと、環状凹部１８ｂと、外周部１８ａより低い位置に存する水平な基台部１８ｃとを順次連続形成している。基台部１８ｃが外周部１８ａよりも低くなっているのは、基台部１８ｃと蓋体５０の天板部５２との間に錠剤Ｄを挟み込み、錠剤Ｄが錠剤仮置き凹部４２内を不意に移動しないようにするためである。
【００３８】
上記環状凹部１８ｂは、図４に示す如く、略Ｕ字形に下方へ膨らんでおり、その下端部は図４に示す如く肉薄部Ｔに形成されている。この肉薄部Ｔを設けた理由は、上述の如く蓋体５０の天板部５２と基台部１８ｃとの間で錠剤Ｄを挟み込むときに過剰な挟持力が作用することを回避し、柔軟効果を奏するようにするためである。天板部５２と基台部１８ｃとの間で錠剤Ｄを挟むことにより、錠剤仮置き凹部４２内での錠剤Ｄの移動を防止するため錠剤容器を動かした場合の容器体２内への錠剤の戻りや錠剤容器の持ち運びの際の音鳴りを防止できる。さらに肉薄部を設けることで、錠剤の大きさのばらつきや成形物の寸法のバラツキに対応して応力を分散することができる。
【００３９】
上記基台部１８ｃの前部からは口筒部３６ａを起立し、この口筒部３６ａの上端部に錠剤取出し口３６を開口する。図示例では、この錠剤取出し口３６を頂壁部１６の外縁部２２と同程度の高さに位置させている。
【００４０】
上記基台部１８ｃの後半部上面からは、前後方向の複数の平行平板形の垂直壁部４４を起立し、垂直壁部４４同士の間の空間を、前後方向の両端部Ｅ１、Ｅ２を開放端部とする錠剤仮置き凹部４２に形成している。図３に示す図示例において、左右方向の内側の３つの錠剤仮置き凹部４２は、溝状に形成されている。
【００４１】
上記複数の垂直壁部４４は、相互の間に錠剤Ｄを挟み込むことができるように形成するとよい。また各垂直壁部４４の高さは、錠剤Ｄの上下巾よりも短く、上から錠剤Ｄに指を当ててスライドさせることができる。
【００４２】
錠剤仮置き凹部４２から錠剤Ｄを取り出すときには、錠剤Ｄの位置に応じて、錠剤Ｄを前側の端部Ｅ１より前方へスライドさせ、指で摘まんで取り出してもよい。
【００４３】
なお、図示はしていないが、本実施形態においても、錠剤取出し口３６を閉塞可能な閉塞板部を頂壁部の適所に設けることができる。
【符号の説明】
【００４４】
２…容器体  ４…筒壁部  ４ａ…主筒部  ４ｂ…脚筒部  ５…口頸部
６…底壁部  ８…補助壁部
１０…キャップ部材  １２…キャップ本体  １４…キャップ周壁部
１６…頂壁部  １８…中央壁部  １８ａ…外周部  １８ｂ…環状凹部  １８ｃ…基台部
２０…隆起部  ２２…外縁部
２８…本体側シール条    ３０…凹没部  ３２…係止凹部  ３４…指掛け用凹部  
３６…錠剤取出し口  ３６ａ…口筒部  ３８…閉塞板部  ３８ａ…基部  ３８ｂ…先部
４０…肉薄ヒンジ  ４２…錠剤仮置き凹部
４４…垂直壁部  ４４ａ…第１壁部  ４４ｂ…第２壁部  ４６…底壁部
４８…ヒンジ部  ４８ａ…肉薄ヒンジ部  ４８ｂ…弾性帯板部
５０…蓋体  ５２…天板部  ５４…蓋周壁  ５６…蓋体側シール条  ５８…指掛け部
Ｄ…錠剤  Ｅ１、Ｅ２…端部  Ｐ…パッキン  Ｓ…収納部  Ｔ…肉薄部
【図１】
2015143106.tif 000003
【図２】
2015143106.tif 000004
【図３】
2015143106.tif 000005
【図４】
2015143106.tif 000006